(57)【要約】【課題】従来のＴＶ受像機のリヤパネルと外形の形状、寸法を変えることなく、陰極線管、プリント配線基板を加工することなく、取り付けることができるリヤキャビネット及び該リヤキャビネットを備えたＴＶ受像機を提供する。【解決手段】フロント側からリヤ側に向かって絞られているとともに、正面側から見ると矩形状であり、左右の両側の下方にはフロント側がリヤ側よりも曲率半径が大きくなる曲面形状の内曲面部４５Ｒ、４５Ｌを有しており、前記左右の両側の下方に形成された内曲面部の中心部にはフロント側からリヤ側に延び、一対の台座部４６Ｒ、４６Ｌが形成されており、一対の台座部４６Ｒ、４６Ｌが互いに平行で且つ水平になるように形成されているリヤキャビネット４を備えている。【選択図】図３
0003128633.tif 000002
【実用新案登録請求の範囲】
【請求項１】
画像を形成する陰極線管と、
前記陰極線管に接続され電子機器が実装されたプリント配線基板と、
前記陰極線管及び前記プリント配線基板とが内蔵されたリヤキャビネットと、
前記リヤキャビネットに取り付けられ、前記陰極線管に形成された画像を外部より見ることができる開口を有するフロントキャビネットを有するＴＶ受像機であって、
前記リヤキャビネットはフロント側からリヤ側に向かって絞られているとともに、正面側から見て矩形状であり、左右の両側の下方にはフロント側がリヤ側よりも曲率半径が大きくなる曲面形状の内曲面部を有しており、
前記左右の両側の下方に形成された内曲面部の中心部にはフロント側からリヤ側に延び、前記プリント配線基板の両側端部が載置された一対の台座部が形成されており、
前記リヤキャビネットが水平面に設置されたとき、前記内曲面部は前記一対の台座部が互いに平行で且つ水平になるように形成されていることを特徴とするＴＶ受像機。
【請求項２】
陰極線管及びプリント配線基板とが内蔵されるリヤキャビネットであって、
前記リヤキャビネットはフロント側からリヤ側に向かって絞られているとともに、正面側から見て矩形状であり、左右の両側の下方にはフロント側がリヤ側よりも曲率半径が大きくなる曲面形状の内曲面部を有しており、
前記リヤキャビネットが水平面に設置されたとき、前記内曲面部は前記左右の両側の下方に形成された内曲面部の中心線が互いに平行で且つ水平になるように形成されていることを特徴とする映像機器のリヤキャビネット。
【請求項３】
陰極線管及びプリント配線基板とが内蔵されるリヤキャビネットであって、
前記リヤキャビネットはフロント側からリヤ側に向かって絞られているとともに、正面側から見て矩形状であり、左右の両側の下方にはフロント側がリヤ側よりも曲率半径が大きくなる曲面形状の内曲面部を有しており、
前記リヤキャビネットが水平面に設置されたとき、前記内曲面部は前記左右の両側の下方に形成された内曲面部の中心線が互いに平行で且つ水平になるように形成されており、
前記中心線上に前記プリント配線基板の両側端部が載置される一対の台座部が形成されていることを特徴とする映像機器のリヤキャビネット。
【請求項４】
陰極線管及びプリント配線基板とが内蔵されるリヤキャビネットであって、
前記リヤキャビネットはフロント側からリヤ側に向かって絞られているとともに、正面側から見て矩形状であり、左右の両側の下方にはフロント側がリヤ側よりも曲率半径が大きくなる曲面形状の内曲面部を有しており、
前記リヤキャビネットが水平面に設置されたとき、前記内曲面部は前記左右の両側の下方に形成された内曲面部の中心線が互いに平行で且つ水平になるように形成されており、
前記中心線上に前記プリント配線基板の両側端部を上下から挟む形状の一対の台座部が形成されていることを特徴とする映像機器のリヤキャビネット。
【考案の詳細な説明】
【技術分野】
【０００１】
本考案は、陰極線管で画像を表示するＴＶ受像機に関するものであり、より詳しくは、前記陰極線管を内蔵する映像機器のリヤキャビネットに関するものである。
【背景技術】
【０００２】
従来、テレビ放送やＶＴＲ装置、ＤＶＤ装置等からの画像及び音声を視聴するＴＶ受像機として、画像を陰極線管（ＣＲＴ：カソード・レイ・チューブ）上に形成された画像に表示する形態のものが、広く採用されている。
【０００３】
前記ＴＶ受像機は外装部品であるリヤキャビネットを備えている。前記リヤキャビネットは樹脂の一体成形にて製造されるものであり、フロント側からリヤ側に絞られた形状を有している。前記リヤキャビネットには、画像を形成するＣＲＴ、前記ＣＲＴと接続されたプリント配線基板、電源装置等が配置される。
【０００４】
前記プリント配線基板は長方形状に形成された樹脂の表面に銅、アルミ等の薄膜で形成された配線の上に、電子部品が取り付けられたものである。前記リヤキャビネットがフロント側からリヤ側に絞られた形状を有しており、両側の下部に形成された内曲面部はリヤ側及びフロント側で同じ曲率を有している。同じ曲率を有する場合、面積が小さなリヤ側が急激に狭くなってしまい、前記プリント配線基板の大きさによってはそのままの形状で取り付けることができなくなる。このような場合、前記プリント配線基板のリヤ側の一部を切り欠いて取り付けたり、前記リヤキャビネットのリヤ側を大きく形成することで取り付けている。
【０００５】
また、特開平１１−４６３２９号公報に記載の発明では、プリント配線基板に設けられている回路をブロックごとにグループ分けし、それぞれ独立した小さなプリント配線基板を複数個備え、前記複数個の小さなプリント配線基板を前記リヤキャビネットに取り付けるものが示されている。
【０００６】
【特許文献１】特開平１１−４６３２９号公報
【考案の開示】
【考案が解決しようとする課題】
【０００７】
しかしながら、前記プリント配線基板を切り欠いて取り付ける場合、プリント配線基板を切り欠く手間が増え、それだけ、製造コストが上昇する。また、切り欠きを備えていることで、前記プリント配線基板の強度が低下することもありえる。
【０００８】
また、リヤ側の形状を大きく形成するものの場合、前記リヤキャビネットの外形の意匠性が悪くなったり、設置場所が大きくなったりする不具合が発生する。また、前記リヤキャビネットを形成するための金型を従来のリヤキャビネットを形成するための型から、大幅に変更しなくてはならず、製造コストが上昇する。
【０００９】
さらに、特開平１１―４６３２９号公報に記載の発明では回路ブロックごとにプリント配線基板を製造しなくてはならず、それだけ、製造工程が煩雑になり、コストアップにつながる。
【００１０】
そこで本考案は、従来のＴＶ受像機のリヤパネルと外形の形状、寸法を変えることなく、陰極線管、プリント配線基板を加工することなく、取り付けることができるリヤキャビネット及び該リヤキャビネットを備えたＴＶ受像機を提供することを目的とする。
【課題を解決するための手段】
【００１１】
上記目的を達成するために本考案は、画像を形成する陰極線管と、前記陰極線管に接続され電子機器が実装されたプリント配線基板と、前記陰極線管及び前記プリント配線基板とが内蔵されたリヤキャビネットと、前記リヤキャビネットに取り付けられ、前記陰極線管に形成された画像を外部より見ることができる開口を有するフロントキャビネットを有するＴＶ受像機であって、前記リヤキャビネットはフロント側からリヤ側に向かって絞られているとともに、正面側から見て矩形状であり、左右の両側の下方にはフロント側がリヤ側よりも曲率半径が大きくなる曲面形状の内曲面部を有しており、前記左右の両側の下方に形成された内曲面部の中心部にはフロント側からリヤ側に延び、前記プリント配線基板の両側端部が上下から挟まれる一対の台座部が形成されており、前記リヤキャビネットが水平面に設置されたとき、前記内曲面部は前記一対の台座部が互いに平行で且つ水平になるように形成されていることを特徴とする。
【００１２】
この構成によると、前記リヤキャビネットの外形を変更することなく、前記一対の台座部が互いに平行に形成されるので、前記プリント配線基板を加工することなく前記リヤキャビネットに取り付けることが可能である。
【００１３】
これによると、前記プリント配線基板の加工に必要な工程及び時間を削減することができ、それだけ、製造に必要なコストを削減することが可能である。
【００１４】
また、外形を変更しないので、従来のリヤキャビネットを形成するために用いられてきた金型を利用することが可能であるので、すべての金型を作り直さなくても良く、金型を製作するための時間を短縮することができるとともに、金型を製作するのに必要なコストを削減することが可能である。
【００１５】
また上記目的を達成するために本考案は、陰極線管及びプリント配線基板とが内蔵される映像機器のリヤキャビネットであって、前記リヤキャビネットはフロント側からリヤ側に向かって絞られているとともに、正面側から見ると矩形状であり、左右の両側の下方にはフロント側がリヤ側よりも曲率半径が大きくなる曲面形状の内曲面部を有しており、前記リヤキャビネットは水平面に設置されたとき、前記左右の両側の下方に形成された内曲面部の中心線が互いに平行で且つ水平になるように内曲面部が形成されていることを特徴とする。
【００１６】
この構成によると、前記リヤキャビネットの外形を変更することなく、前記一対の中心線が互いに平行に形成されるので、前記プリント配線基板を加工することなく前記リヤキャビネットに取り付けることが可能である。
【００１７】
これによると、前記プリント配線基板の加工に必要な工程及び時間を削減することができ、それだけ、製造に必要なコストを削減することが可能である。
【００１８】
また、外形を変更しないので、従来のリヤキャビネットを形成するために用いられてきた金型を利用することが可能であるので、すべての金型を作り直さなくても良く、金型を製作するための時間を短縮することができるとともに、金型を製作するのに必要なコストを削減することが可能である。
【００１９】
上記構成において、前記中心線上に前記プリント配線基板の両側端部が載置される一対の台座部が形成されていてもよい。このとき、前記台座部が前記プリント配線基板の両側端部が上下から挟む形状となっていてもよい。
【考案の効果】
【００２０】
本考案によると、従来のＴＶ受像機のリヤパネルと外形の形状、寸法を変えることなく、陰極線管、プリント配線基板を加工することなく、取り付けることができるリヤキャビネット及び該リヤキャビネットを備えたＴＶ受像機を提供することができる。
【考案を実施するための最良の形態】
【００２１】
以下に本考案の実施形態を図面を参照して説明する。図１は本考案にかかるＴＶ受像機の概略斜視図であり、図２は図１に示すＴＶ受像機の側断面図であり、図３は本考案にかかるＴＶ受像機に用いられるリヤキャビネットの正面図であり、図４は図３に示すリヤキャビネットの平断面図であり、図５は図３に示すリヤキャビネットの側断面図である。
【００２２】
図１、図２に示すように、ＴＶ受像機は、少なくとも、陰極線管１と、プリント配線基板２と、フロントキャビネット３と、リヤキャビネット４とを有している。陰極線管１は後背部に向かって絞られた形状を有しており、後端部には少なくとも電子線を射出する電子銃と、電子線を走査する偏向ヨークとが備えられている。陰極線管１の正面側には、画像が表示される表示部１１が形成されている。
【００２３】
プリント配線基板２は表面に銅、アルミ等の導電性の優れた金属の薄膜で構成された配線パターンが形成されている。プリント配線基板２には、図示を省略したトランジスタ、マイコン、トランス等の電子部品が実装されており、各電子部品に備えられたリードと配線パターンとを半田付けすることで、電子部品はプリント配線基板２に実装されている。プリント配線基板２はそれには限定されないが、ここでは、ＴＶ受像機に備えられている機器に信号を送ったり、電力を送ったりして駆動する。
【００２４】
フロントキャビネット３は、開口部３１を備えている。陰極線管１が表示部１１が開口部３１より外部に向けて画像を表示することができるように、陰極線管１がフロントキャビネット３に取り付けられる。
【００２５】
リヤキャビネット４はフロントキャビネット３の後背部と重なるように取り付けられる外装部材であり、リヤキャビネット４は正面側からみて左右対称の矩形状に形成されるものである。リヤキャビネット４は上壁部４１、右壁部４２Ｒ、左壁部４２Ｌ、下壁部４３及び背壁部４４とを有している。図４、図５に示すように、リヤキャビネット４はフロント側から、リヤ側に向けて絞られた形状を有している。すなわち、右壁部４２Ｒ、左壁部４２Ｌがリヤ側に向けて互いに近づくように形成されており、下壁部４３はリヤ側に向けて上側に向けて傾斜している。
【００２６】
リヤキャビネット４の右壁部４２Ｒと下壁部４３との連結部に形成された内曲面４５Ｒと左壁部４２Ｌと、下壁部４３との連結部に形成された内曲面４５Ｌとを有している。内曲面４５Ｒ及び４５Ｌの中央部にはプリント配線基板２を取り付けるための台座部４６Ｒ及び４６Ｌが形成されている。
【００２７】
内曲面４５Ｒ及び４５Ｌについて説明する。なお、内曲面４５Ｒと４５Ｌとは鏡像関係になっており、ここでは、便宜上、曲面部４５Ｒを主に説明する。曲面部４５Ｒのフロント側の内曲面４５Ｒｆの曲率半径Ｒ１とリヤ側の内曲面４５Ｒｂの曲率半径Ｒ２とが異なるように形成されている。また、内曲面４５Ｒの背壁部４４と平行な面で切断したときの切断面の曲率半径は、フロント側からリヤ側に向かって小さくなるように形成されている。
【００２８】
このように、曲率半径が変化するように内曲面４５Ｒを形成することで、リヤ側の空間を広くすることができる。また、内曲面４５Ｒの曲面の中心線上に形成された台座部４６Ｒはフロント側からリヤ側に傾かないように形成されている。また、内曲面４５Ｌは内曲面４５Ｒと同様に形成されており、台座部４６Ｌも台座部４６Ｒと同様に形成されている。
【００２９】
内曲面４５Ｒ及び４５Ｌが上述したように形成されることで、台座部４６Ｒと４６Ｌとが平行になるように形成されている。このように台座部４６Ｒ及び４６Ｌが平行に形成されることで、プリント配線基板２のリヤ側に切り欠きを形成することなく、台座部４６Ｒ、４６Ｌに載置することができる。また、リヤキャビネット４の外形を従来のものより大きく変化させることなく形成することができ、従来のリヤキャビネットを形成していた金型を利用することができるので、それだけ、リヤキャビネット４の製造にかかるコストを低減することが可能である。
【００３０】
図６に本考案にかかるリヤキャビネットの他の例の正面図を示す。図６に示すリヤキャビネット４ｂは、台座部が異なる以外は、図３に示すリヤキャビネットと同じ形状を有するものであり、実質上同じ部分には同じ符号が付してある。
【００３１】
図６に示すように、リヤキャビネット４ｂの台座部４７Ｒ、４７Ｌはプリント配線基板２を上下より支持することができる形状を有している。このように上下に支持できる形状を有することで、プリント配線基板２が上下にずれることがなく、また、陰極線管１の取り付け時に陰極線管１がプリント配線基板２に接触してもプリント配線基板２が移動しないので、組み立てしやすい。
【００３２】
以上、考案の実施形態を具体的に説明したが、本考案は上記実施形態に限定するものではなく、その要旨を逸脱しない範囲で種々変更可能である。
【産業上の利用可能性】
【００３３】
本考案のリヤキャビネットは、陰極線管を用いるＴＶ受像機に対して適用することができる。
【図面の簡単な説明】
【００３４】
【図１】本考案にかかるＴＶ受像機の概略斜視図である。
【図２】図１に示すＴＶ受像機の側断面図である。
【図３】リヤキャビネットの正面図である。
【図４】図３に示すリヤキャビネットの平断面図である。
【図５】図３に示すリヤキャビネットの側断面図である。
【図６】本考案にかかるリヤキャビネットの他の例の正面図である。
【符号の説明】
【００３５】
１  陰極線管
１１  表示部
２  プリント配線基板
３  フロントキャビネット
３１  開口部
４  リヤキャビネット
４１  上壁部
４２Ｒ  右壁部
４２Ｌ  左壁部
４３  下壁部
４４  背壁部
４５Ｒ、４５Ｌ  内曲面
４６Ｒ、４６Ｌ  台座部
【図１】
0003128633.tif 000003
【図２】
0003128633.tif 000004
【図３】
0003128633.tif 000005
【図４】
0003128633.tif 000006
【図５】
0003128633.tif 000007
【図６】
0003128633.tif 000008